(57)【要約】  【課題】  測定時にショートすることが少なく、測定対象物の裏側や、配線等が入り組んだ場所でも測定可能なテストリードを低供する。  【解決手段】  導電線を絶縁被覆したコードと、このコードの一端の導電線に接続され絶縁被覆された接続端子と、前記コードの他端の導電線に接続される接触子とを備え、前記接触子が、前記コードと接続する把持部と、この把持部から延設され導電線と導通した先端部と、この先端部の先端に配置される先ピン部とを有し、前記先端部が、絶縁性樹脂により被覆されるテストリード。【選択図】  図１
2010175273.tif 000002
【特許請求の範囲】
【請求項１】
導電線を絶縁被覆したコードと、このコードの一端の導電線に接続され絶縁被覆された接続端子と、前記コードの他端の導電線に接続される接触子とを備え、前記接触子が、前記コードと接続する把持部と、この把持部から延設され導電線と導通した先端部と、この先端部の先端に配置される先ピン部とを有し、前記先端部が、絶縁性樹脂により被覆されるテストリード。
【請求項２】
請求項１において、先端部が、屈曲性を有する絶縁性樹脂により被覆されたものであるテストリード。
【請求項３】
請求項１において、先端部が、屈曲性を有する金属導体を、屈曲性を有する絶縁性樹脂により被覆したものであるテストリード。
【請求項４】
請求項１乃至３において、先端部が、その長さを、５〜１５ｃｍとするテストリード。
【請求項５】
請求項１乃至４の何れかにおいて、先ピン部が、その長さを、１〜５ｍｍとするテストリード。
【請求項６】
請求項１乃至５の何れかにおいて、先ピン部が、その形状を円錐状とするテストリード。
【請求項７】
請求項１乃至６の何れかにおいて、先端部が、把持部に対し、着脱式であるテストリード。
【発明の詳細な説明】
【技術分野】
【０００１】
本発明は、測定物の電圧、電流、電気抵抗等を測定するテスタの、テストリードに関する。
【背景技術】
【０００２】
テストリードは、電流計や電圧計等の、各種計測機器に対して接続端子を接続させ、接触子を電気回路上の配線や各種の電子部品等に接触させることで、回路の抵抗値等を測定することに多用されている。
【０００３】
図３は、従来からあるこの種テストリードの構造例を示す概略断面図である。
テストリード１は、導電線２ａを、絶縁性被覆材２ｂで被覆した、適宜長さのコード２と、このコード２の一端側にて、前記導電線２ａと接続されている接触子３と、前記コード２の他端側にて、前記導電線２ａと接続されている接続端子４とで、構成されている。
【０００４】
接触子３は、その先端部に露出された先ピン部３ａを備え、この先ピン部３ａ及び先ピン部３ａを保持する先端部３ｂを除く把持部３ｃに、使用者が持てるように絶縁部分を備えている。
把持部３ｃは、コード２との接続部位を含めて、外嵌されるパイプ材３ｄと、このパイプ材３ｄをその長さ方向に沿わせて一体的に抱持する軟質ポリ塩化ビニル等の合成樹脂材からなる絶縁性の把持用本体部３ｅとで形成されている（特許文献１参照）。
【先行技術文献】
【特許文献】
【０００５】
【特許文献１】特開平０８−２２０１３５号公報
【発明の概要】
【発明が解決しようとする課題】
【０００６】
しかしながら、前述したような従来のテストリードは、先端部３ｂが露出している為、この部分が不必要な部位に触れ、ショートしないように、取り扱いを注意する必要がある。
また、導電性の先端部３ｂが硬く、その長さが２ｃｍ程度で構成される為、測定する対象装置の裏側や、配線等が入り組んだ場所等では、測定しづらいといったテスト環境の制約がある。
本発明は、上記問題を解決するテストリードを提供することを目的とする。
【課題を解決するための手段】
【０００７】
本発明は、以下のものに関する。
（１）導電線を絶縁被覆したコードと、このコードの一端の導電線に接続され絶縁被覆された接続端子と、前記コードの他端の導電線に接続される接触子とを備え、前記接触子が、前記コードと接続する把持部と、この把持部から延設され導電線と導通した先端部と、この先端部の先端に配置される先ピン部とを有し、前記先端部が、絶縁性樹脂により被覆されるテストリード。
（２）項（１）において、先端部が、屈曲性を有する絶縁性樹脂により被覆されたものであるテストリード。
（３）項（１）において、先端部が、屈曲性を有する金属導体を、屈曲性を有する絶縁性樹脂により被覆したものであるテストリード。
（４）項（１）乃至（３）において、先端部が、その長さを、５〜１５ｃｍとするテストリード。
（５）項（１）乃至（４）の何れかにおいて、先ピン部が、その長さを、１〜５ｍｍとするテストリード。
（６）項（１）乃至（５）の何れかにおいて、先ピン部が、その形状を円錐状とするテストリード。
（７）項（１）乃至（６）の何れかにおいて、先端部が、把持部に対し、着脱式であるテストリード。
【発明の効果】
【０００８】
本発明では、テストリードの先端部が、絶縁性樹脂により被覆されているため、導電性部分が、不必要な部位に触れ、ショートさせる可能性を低減でき、使用者の安全もより一層高めることができる。
更に、先端部が、屈曲性を有する絶縁性樹脂により被覆された場合は、先端部に応力がかかっても、割れにくくなる。
先端部が、屈曲性を有する金属導体を、屈曲性を有する絶縁性樹脂により被覆したものである場合は、装置の裏や配線等が入り組んだ場所等での測定が、先端部の柔軟性により、容易にできることとなる。
先端部の長さを、５〜１５ｃｍにした場合は、従来が２ｃｍ程度であったために、手の届かない場所にある測定物に、テストリードを入り込ませることが可能となり、測定ができることとなる。
先ピン部の長さを、１〜５ｍｍとした場合は、無駄に導電性部分が露出することがなく、測定しづらい程の短さでもないので、安全と測定効率の両方を兼ね備えたテストリードとすることができる。
先ピン部を円錐状とした場合は、測定対象物との接触効率が上がり、測定を行い易い。
先端部を把持部に対して着脱式にした場合は、測定対象物により、長さの異なる複数種類の先端部から、最適なものを選択して、測定を行うことができ、よりテスト効率を上げることができる。また、先端部が折れてしまった場合であっても、テストリードそのものを交換することなく、先端部及び先ピン部のみを交換することで、対応することができる。
【図面の簡単な説明】
【０００９】
【図１】本発明のテストリードを示す、概略断面図である。
【図２】本発明のテストリードを用いて測定している状態を示す、概略断面図である。
【図３】従来例のテストリードを示す、概略断面図である。
【発明を実施するための形態】
【００１０】
本発明に用いる導電線を絶縁被覆したコードは、その長さを規定されるものでなく、使用形態により適宜決められるものである。
導電線の材質は、電気を通すものであれば特に限定されるものではないが、抵抗の少ない銅線を用いることが好ましい。
絶縁被覆する材質は、テストリードの使用者が、コードに触れた際に、感電することがないものであれば良く、柔軟性を有する合成樹脂を用いることが好ましい。
【００１１】
本発明に用いる接続端子は、その一端が、コードの導電線と電気的に導通するように接続されるもので、他端が、計測装置に接続される。
接続端子は、コードとの接続部位を含め、使用者が直接手で触れる部分を、絶縁物で被覆してあり、安全性を確保する。
また、接続端子の形状、接続方向については、特に限定されるものではなく、コードと接続する端部と、計測装置に接続させる端部との位置関係が、直線状になっていても、屈曲（後述する図１では９０度屈曲させている）させたものであっても良い。
【００１２】
本発明に用いる接触子は、把持部と、先端部と、先ピン部とを有している。
把持部は、コードの導電線と電気的に導通するように接続され、使用者が手で持つので、絶縁材により被覆する。
【００１３】
先端部は、把持部から延設されており、把持部との接続部分及び先ピン部との接続部分を含め、絶縁性樹脂により被覆している。
先端部の太さは、特に限定されるものではないが、直径０．５〜２．５ｍｍが好ましく、直径０．７〜１．５ｍｍがより好ましく、直径０．９〜１．２ｍｍが更に好ましい。直径０．５ｍｍ未満だと、屈曲し易くなりすぎ測定しづらく、直径２．５ｍｍを超えると、細かい測定物の測定が困難になる傾向がある。
絶縁性樹脂としては、屈曲性を有する、ポリエステル樹脂、ポリ塩化ビニル樹脂、ポリエチレン樹脂等が挙げられる。先端部は、絶縁性樹脂により被覆されることで、漏電阻止は勿論、機械的衝撃に強く割れにくい為、耐久性が向上する。尚、ここで述べる「屈曲性」とは、使用者が手で自由に曲げられることを意味する。
絶縁性樹脂の厚みは、０．２〜１．０ｍｍが好ましく、０．４〜０．８ｍｍがより好ましく、０．５〜０．６ｍｍが更に好ましい。０．２ｍｍ未満だと、被覆が破れ易く、１．０ｍｍを超えると、細かい測定物の測定が困難になる傾向がある。
導通する部分は、屈曲性を有する金属導体を用いることが好ましく、例えば、銅、アルミニウム、金合金等が挙げられ、中でも金合金が、耐食性に優れる為、好ましい。また、銅、アルミニウムについても、金メッキを施すことにより、耐食性に優れたものにできる。
先端部の長さは、特に限定されるものではないが、電気機器や配線等が入り組んだ場所等の測定環境の観点から、５〜１５ｃｍが好ましく、７〜１３ｃｍがより好ましく、９〜１１ｃｍが更に好ましい。５ｃｍ未満だと電気機器や配線等が入り組んだ場所等での測定がしにくく、１５ｃｍを超えると測定物に接触させづらくなる傾向がある。
先端部は、固着されたものであっても良いが、着脱式であることが好ましい。着脱式である場合は、測定対象物に合わせて、長さの異なる先端部の使い分けが可能となり、更に作業性を向上することができる。また、着脱式により、繰り返し屈曲させることで折れてしまった先端部の交換が可能となり、メンテナンス性を向上することもできる。
【００１４】
先ピン部は、先に述べた先端部の先端に配置され、測定対象物と直接接触させるものである。
先ピン部の材質は、導電性を有するものであれば、特に限定させるものではないが、銅、ＳＫ材、真鍮等に、はんだめっき、錫めっき、ニッケルめっき、金めっき、ロジウムめっき等をしたもの、ＳＵＳ材等を用いることができ、中でも腐食に強いことから、金めっきを施したものを用いることが好ましい。
先ピン部の長さは、特に限定されないが、安全面から導通部分の長さを短くすることと、測定容易性から導通部分の長さを長くすることの兼ね合いを考え、１〜５ｍｍが好ましく、１．５〜４．５ｍｍがより好ましく、２〜４ｍｍが更に好ましい。１ｍｍ未満だと測定物に接触しづらく、５ｍｍを超えるとショート等の可能性が高くなる傾向にある。
先ピン部の形状は、特に限定されないが、例えば、円錐状、円柱状、先端部が面取りされた円柱状等が挙げられ、中でも、接触効率の観点から、円錐状が好ましい。
【実施例】
【００１５】
以下、図面を用いて、本発明の１実施例を説明する。
図１は、本発明の１実施例であるテストリードの概略断面図である。
テストリード１は、銅製の導電線２ａを、絶縁性被覆材２ｂであるポリ塩化ビニルにて被覆したコード２に対し、接触子３と、接続端子４とを電気的に接続している。尚、本実施例では、長さ１ｍのコード２を用いた。
【００１６】
接触子３は、先ピン部３ａと、先端部３ｂと、把持部３ｃとを有しており、これらが、電気的に接続されている。
先ピン部３ａは、銅に、ニッケル下地めっきと、金めっきとを施したものを使用し、形状は、円錐形で、先端からの長さを３ｍｍとした。
先端部３ｂは、銅線（金属導体３ｂ−１）の周囲を、厚み０．５ｍｍの軟質ポリ塩化ビニル（絶縁性樹脂３ｂ−２）にて被覆したものを用い、長さを１０ｃｍとした。
把持部３ｃは、コード２に、電気的に接続され、パイプ材３ｄの中に導電部分を通し、このパイプ材３ｄの周囲を軟質ポリ塩化ビニルにて被覆し、把持用本体部３ｅとしている。
【００１７】
接続端子４は、計測機器との接続を行う差込口４ａの向きを、コード２の延長線方向から、９０度屈曲するように、コード２と接続してあり、差込口４ａの部分を除いて、ポリ塩化ビニルにより被覆してある。
【００１８】
上記実施例により作製したテストリード１は、絶縁性樹脂である軟質ポリ塩化ビニル（絶縁性樹脂３ｂ−２）により被覆されているので、指先が先端部３ｂに触れても安全であり、軟質ポリ塩化ビニルが屈曲性を有する為、応力がかかっても割れにくく、更には、先端部３ｂが、屈曲性を有する金属導体である銅線（金属導体３ｂ−１）を、屈曲性を有する絶縁性樹脂である軟質ポリ塩化ビニル（絶縁性樹脂３ｂ−２）により被覆したものであるので、狭い部分へも先端部３ｂを屈曲させて入り込ませ、迅速に測定を行うことができた。
【００１９】
図２は、図１にて説明したテストリードを用いて測定している状態を示す、概略断面図である。図２に示すように、内層回路５ｂ、スルーホール５ｃ、このスルーホール５ｃの開口部周囲に形成されるランド５ａ等を有する配線板５が、狭い間隔を持って積層された場合は、従来のテストリードではランド５ａの測定ができなかったが、図１にて説明したテストリードでは、先端部３ｂを屈曲させることにより、先ピン部３ａがランド５ａに届き、測定することができる。尚、ランド５ａの位置が、直接目視できない場合は、ファイバースコープ６等を用いることもできる。
【符号の説明】
【００２０】
１…テストリード、２…コード、２ａ…導電線、２ｂ…絶縁性被覆材、３…接触子、３ａ…先ピン部、３ｂ…先端部、３ｂ−１…金属導体、３ｂ−２…絶縁性樹脂、３ｃ…把持部、３ｄ…パイプ材、３ｅ…把持用本体部、４…接続端子、４ａ…差込口、５…配線板、５ａ…ランド、５ｂ…内層回路、５ｃ…スルーホール、６…ファイバースコープ。
【図１】
2010175273.tif 000003
【図２】
2010175273.tif 000004
【図３】
2010175273.tif 000005